(57)【要約】【課題】発光面が広く形成されており、搬送容易であると共に速やかに設置し得、しかも、搬送時に発光面に損傷が生じる虞をなくし得る携行用ＬＥＤ照明装置を提供すること。【解決手段】携行用ＬＥＤ照明装置１は、複数の発光ダイオードが配列されてなる発光面２を有した矩形板状の発光パネル３と、発光パネル３の側縁４及び５の夫々に縦方向Ｖに伸びた軸の周りでＲ１及びＲ２方向に回動自在となるように連結されている互いに同形状の一対の回動自在板６及び７とを具備しており、回動自在板６及び７の夫々は、Ｒ１方向の回動において発光面２を覆いながら発光パネル３と重ね合わされる一方、Ｒ２方向の回動において発光面２を露呈させながら展開できるように構成されている。【選択図】図１
2013143352.tif 000002
【特許請求の範囲】
【請求項１】
複数の発光ダイオードが配列されてなる発光面を有した矩形板状の発光パネルと、この発光パネルの一対の側縁の夫々に縦方向に伸びた軸の周りで回動自在となるように連結されている互いに同形状の一対の回動自在板とを具備しており、一対の回動自在板の夫々は、一方の回動において発光面を覆いながら発光パネルと重ね合わされる一方、他方の回動において発光面を露呈させながら展開できるように構成されている携行用ＬＥＤ照明装置。
【請求項２】
一対の回動自在板のうちの少なくとも一方の回動自在板の一方の面であって発光パネルに対面し得る前記面には、複数の発光ダイオードが配列されてなる発光面が形成されている請求項１に記載の携行用ＬＥＤ照明装置。
【請求項３】
一対の回動自在板の夫々は、発光パネルの縦方向の幅の半分と同等の幅を有していると共に発光パネルの横方向の長さに対して少なくとも同等の長さを有している請求項１又は２に記載の携行用ＬＥＤ照明装置。
【請求項４】
発光パネルの発光面とは反対側の面に把持部が設けられている請求項１から３のいずれか一項に記載の携行用ＬＥＤ照明装置
【発明の詳細な説明】
【技術分野】
【０００１】
本発明は、一般照明、道路工事現場、建築作業現場等での照明、テレビスタジオ、写真スタジオ、舞台等での照明や野外撮影時の照明に用いられる折畳み式の携行用ＬＥＤ照明装置に関する。
【背景技術】
【０００２】
例えば、特許文献１においては、ＬＥＤ（発光ダイオード（Ｌｉｇｈｔ  ｅｍｉｔｔｉｎｇ  ｄｉｏｄｅ））装着体と、このＬＥＤ装着体に装着する複数のＬＥＤユニットと、これら複数のＬＥＤユニットにそれぞれ装着するレンズユニットとを具備している照明装置が提案されている。
【先行技術文献】
【特許文献】
【０００３】
【特許文献１】特開２００７−２５８１１４号公報
【発明の概要】
【発明が解決しようとする課題】
【０００４】
ところで、発光面が広く形成されたＬＥＤ照明装置の寸法は大きくなる傾向にあるためにその搬送が困難となり、また、斯かるＬＥＤ照明装置を分解して搬送容易にしても、当該ＬＥＤ照明装置の設置時に組み立てる必要があるためにＬＥＤ照明装置の速やかな設置が困難である。また、搬送時においては、ＬＥＤ照明装置に落下等による衝撃が加わる事態も生じ得るが、斯かる事態が生じた場合においても発光面に損傷が生じないことが望まれる。
【０００５】
本発明は、前記諸点に鑑みてなされたものであり、その目的とするところは、発光面が広く形成されており、搬送容易であると共に速やかに設置し得、しかも、搬送時に発光面に損傷が生じる虞をなくし得る携行用ＬＥＤ照明装置を提供することにある。
【課題を解決するための手段】
【０００６】
本発明の携行用ＬＥＤ照明装置は、複数の発光ダイオードが配列されてなる発光面を有した矩形板状の発光パネルと、この発光パネルの一対の側縁の夫々に縦方向に伸びた軸の周りで回動自在となるように連結されている互いに同形状の一対の回動自在板とを具備しており、一対の回動自在板の夫々は、一方の回動において発光面を覆いながら発光パネルと重ね合わされる一方、他方の回動において発光面を露呈させながら展開されるように構成されている。
【０００７】
本発明の携行用ＬＥＤ照明装置によれば、特に、発光パネルの一対の側縁の夫々に縦方向に伸びた軸の周りで回動自在となるように連結されている互いに同形状の一対の回動自在板を具備しており、一対の回動自在板の夫々は、一方の回動において発光面を覆いながら発光パネルと重ね合わされる一方、他方の回動において発光面を露呈させながら展開されるように構成されているために、発光パネルの発光面が広く形成されていても一対の回動自在板を一方の方向に回動させて発光パネルと重ね合わせるように折り畳むことで搬送を容易にし得る一方、一対の回動自在板を他方の方向に回動させることで発光パネルの発光面を露呈させて速やかに装置を設置することができ、しかも、前記折り畳み時に発光パネルの発光面を一対の回動自在板によって覆うことができるので搬送時に発光面に損傷が生じる虞をなくし得る。
【０００８】
本発明の携行用ＬＥＤ照明装置では、一対の回動自在板のうちの少なくとも一方の回動自在板の一方の面であって発光パネルに対面し得る前記面には、複数の発光ダイオードが配列されてなる発光面が形成されていてもよい。このような携行用ＬＥＤ照明装置によれば、装置の大型化を生じさせずに発光面を更に広く形成することができ、しかも、発光パネルに対する回動自在板の回動角度を適宜調節することによって照明範囲や被射体に対する光量を好適に調整し得る。
【０００９】
本発明の携行用ＬＥＤ照明装置では、一対の回動自在板の夫々は、発光パネルの縦方向の幅の半分と同等の幅を有していると共に発光パネルの横方向の長さに対して少なくとも同等の長さを有しているとよい。このような携行用ＬＥＤ照明装置によれば、一対の回動自在板によって発光パネルの発光面の全面を覆い得る。
【００１０】
本発明の携行用ＬＥＤ照明装置では、発光パネルの発光面とは反対側の面に把持部が設けられている。
【発明の効果】
【００１１】
本発明によれば、発光面が広く形成されており、搬送容易であると共に速やかに設置し得、しかも、搬送時に発光面に損傷が生じる虞をなくし得る携行用ＬＥＤ照明装置を提供し得る。
【図面の簡単な説明】
【００１２】
【図１】図１は、本発明の実施の形態の例の正面説明図である。
【図２】図２は、図１に示す例の平面説明図である。
【図３】図３は、図１に示す例の動作説明図である。
【図４】図４は、図１に示す例の側面説明図である。
【図５】図５は、本発明の実施の形態の他の例の側面説明図である。
【発明を実施するための形態】
【００１３】
次に本発明の実施の形態を、図に示す好ましい例に基づいて更に詳細に説明する。なお、本発明はこれら例に何等限定されないのである。
【００１４】
図１から図４において、本例の折畳み式の携行用ＬＥＤ照明装置１は、複数の発光ダイオード（図示せず）が配列されてなる発光面２を有した矩形板状の発光パネル３と、発光パネル３の一対の側縁４及び５の夫々に縦方向Ｖに伸びた軸の周りでＲ１及びＲ２方向に回動自在となるように連結されている互いに同形状の一対の回動自在板６及び７と、発光パネル３の発光面２とは反対側の面（後面）８に把持部９が設けられている。
【００１５】
発光面２は、複数の発光ダイオードが配列されてなる複数の光源プレート、本例では四枚の縦長の光源プレート１１からなる。
【００１６】
光源プレート１１は、例えば図１に示すように横方向Ｈに四枚が並んで配されている。
【００１７】
発光パネル３は、前記光源プレート１１と、当該光源プレート１１を前面において支持する縦長の矩形板状基体１２とを具備している。
【００１８】
矩形板状基体１２の縦方向Ｖに伸びた側縁４にはヒンジ１３が取り付けられており、回動自在板６は、このヒンジ１３を介して側縁４にＲ１及びＲ２方向に回動自在に連結されている。
【００１９】
矩形板状基体１２の縦方向Ｖに伸びた側縁５にはヒンジ１４が取り付けられており、回動自在板７は、このヒンジ１４を介して側縁５にＲ１及びＲ２方向に回動自在に連結されている。
【００２０】
把持部９は、本例では図４に示すように、矩形板状基体１２の後面８に設けられた側面視Ｕ形状の把持部材２１から構成されていてもよいが、これに代えて、例えば図５に示すように、縦方向Ｖに伸びた軸及び横方向Ｈに伸びた軸を介して回転自在な回転可動部２２を備えていると共に当該回転可動部２２が矩形板状基体１２の後面８に装着された棒状の把持部材２３から構成されていてもよい。
【００２１】
回動自在板６は、本例では、縦長の矩形板状本体２５と、矩形板状本体２５の展開時における前面（一方の面）２６に形成された複数の発光ダイオード（図示せず）が配列されてなる発光面２７とを具備している。
【００２２】
矩形板状本体２５の前面２６は、図１及び図２に示す展開時においては、被射体（図示せず）を照射する方向を向くように配される一方、図３に示す折畳み時においては、発光パネル３の発光面２に対面して配される。
【００２３】
矩形板状本体２５は、矩形板状基体１２の縦方向Ｖの長さと同等の長さを有している。矩形板状本体２５は、発光パネル３の横方向Ｈの幅の半分と同等の幅をもって構成されている。矩形板状本体２５の縦方向Ｖに伸びた側縁２８は、ヒンジ１３を介して矩形板状基体１２の側縁４にＲ１及びＲ２方向に回動自在に連結されている。矩形板状本体２５の縦方向Ｖに伸びた側縁（自由端縁）２９は、図３に示す折畳み時に回動自在板７に当接する。
【００２４】
発光面２７は、光源プレート１１と同様に形成された複数の光源プレート、本例では二枚の縦長の光源プレート３２からなる。
【００２５】
光源プレート３２は、例えば図１に示すように横方向Ｈに二枚が並んで配されている。
【００２６】
回動自在板７は、本例では、縦長の矩形板状本体３５と、矩形板状本体３５の展開時における前面（一方の面）３６に形成された複数の発光ダイオード（図示せず）が配列されてなる発光面３７とを具備している。
【００２７】
矩形板状本体３５の前面３６は、図１及び図２に示す展開時においては、被射体（図示せず）を照射する方向を向くように配される一方、図３に示す折畳み時においては、発光パネル３の発光面２に対面して配される。
【００２８】
矩形板状本体３５は、矩形板状基体１２の縦方向Ｖの長さと同等の長さを有している。矩形板状本体３５は、発光パネル３の横方向Ｈの幅の半分と同等の幅をもって構成されている。矩形板状本体３５の縦方向Ｖに伸びた側縁３８は、ヒンジ１４を介して矩形板状基体１２の側縁５にＲ１及びＲ２方向に回動自在に連結されている。矩形板状本体３５の縦方向Ｖに伸びた側縁（自由端縁）３９は、図３に示す折畳み時に回動自在板６に当接する。
【００２９】
発光面３７は、光源プレート１１と同様に形成された複数の光源プレート、本例では二枚の縦長の光源プレート４２からなる。
【００３０】
光源プレート４２は、例えば図１に示すように横方向Ｈに二枚が並んで配されている。
【００３１】
上述の回動自在板６及び７は、夫々互いに同様に形成されている。回動自在板６及び７の夫々は、Ｒ１方向の回動において発光面２を覆いながら発光パネル３と重ね合わされる一方、Ｒ２方向の回動において発光面２を露呈させながら展開できるように構成されている。
【００３２】
斯かる携行用ＬＥＤ照明装置１では、例えば展開時においては図１及び図２に示すように、発光パネル３並びに回動自在板６及び７を横方向Ｈに沿って伸びて配置することが可能である。ここで、回動自在板６及び７を発光パネル３に対してＲ１及びＲ２方向、主にＲ１方向に回動させることで、照明範囲や被射体に対する光量を好適に調整し得る。
【００３３】
図１及び図２の展開状態にある携行用ＬＥＤ照明装置１を折り畳む場合には、回動自在板６をＲ１方向に回動させて発光面２７を発光面２に対面させて発光パネル３と回動自在板６を重ね合わせると共に、回動自在板７をＲ１方向に回動させて発光面３７を発光面２に対面させて発光パネル３と回動自在板７とを重ね合わせて、図３に示す折り畳み状態にする。図３に示す折り畳み時においては、回動自在板６及び７の側縁２９及び３９は互いに当接する。このように折り畳むことで、搬送時においてパネルをコンパクトにすることができ、しかも発光面２、２７及び３７を矩形板状基体１２並びに矩形板状本体２５及び３５によって保護することができる。
【００３４】
図３に示す折り畳み状態にある携行用ＬＥＤ照明装置１を展開する場合には、回動自在板６をＲ２方向に回動させて発光面２を露呈させながら発光面２７を被射体に向かせると共に、回動自在板７をＲ２方向に回動させて発光面２を露呈させながら発光面３７を被射体に向かせて、図１及び図２又は図４に示す展開状態にする。このように展開することで、携行用ＬＥＤ照明装置１は、広い発光面を確保することができる。
【００３５】
本例の携行用ＬＥＤ照明装置１によれば、複数の発光ダイオード（図示せず）が配列されてなる発光面２を有した矩形板状の発光パネル３と、発光パネル３の側縁４及び５の夫々に縦方向Ｖに伸びた軸の周りでＲ１及びＲ２方向に回動自在となるように連結されている互いに同形状の一対の回動自在板６及び７とを具備しており、回動自在板６及び７の夫々は、Ｒ１方向の回動において発光面２を覆いながら発光パネル３と重ね合わされる一方、Ｒ２方向の回動において発光面２を露呈させながら展開できるように構成されているために、発光パネル３の発光面２が広く形成されていても一対の回動自在板６及び７をＲ１方向に回動させて発光パネル３と重ね合わせるように折り畳むことで搬送容易にし得る一方、回動自在板６及び７をＲ２方向に回動させることで発光パネル３の発光面２を露呈させて速やかに装置を設置することができ、しかも、前記折り畳み時に発光パネル３の発光面２を回動自在板６及び７によって覆うことができるので搬送時に発光面２に損傷が生じる虞をなくし得る。
【００３６】
携行用ＬＥＤ照明装置１によれば、回動自在板６及び７のうちの少なくとも一方、本例では双方の回動自在板６及び７の夫々の一方の面２６及び３６であって発光パネル３に対面し得る前記面２６及び３６には、複数の発光ダイオードが配列されてなる発光面２７及び３７が形成されているために、装置の大型化を生じさせずに発光面を更に広く形成することができ、しかも、発光パネル３に対する回動自在板６及び７の回動角度を適宜調節することによって照明範囲や被射体に対する光量を好適に調整し得る。
【００３７】
携行用ＬＥＤ照明装置１によれば、回動自在板６及び７の夫々は、発光パネル３の縦方向Ｖの幅の半分と同等の幅を有していると共に発光パネル３の横方向Ｈの長さに対して少なくとも同等の長さを有しているために、回動自在板６及び７によって発光パネル３の発光面２の全面を覆い得る。
【００３８】
尚、光源プレート１１の発光色は、当該光源プレート１１に横方向Ｈにおいて隣接する他の光源プレート１１の発光色と異なっていてもよく、光源プレート３２の発光色は、当該光源プレート３２に横方向Ｈにおいて隣接する他の光源プレート３２の発光色と異なっていてもよく、光源プレート４２の発光色は、当該光源プレート４２に横方向Ｈにおいて隣接する他の光源プレート４２の発光色と異なっていてもよく、斯かる場合には、多彩な調光を行い得る。
【符号の説明】
【００３９】
１  携行用ＬＥＤ照明装置
２、２７、３７  発光面
３  発光パネル
６、７  回動自在板
９  把持部
【図１】
2013143352.tif 000003
【図２】
2013143352.tif 000004
【図３】
2013143352.tif 000005
【図４】
2013143352.tif 000006
【図５】
2013143352.tif 000007